(57)【要約】【課題】吊り具の位置決めが任意に行え、施工が容易であり、吊り具固定の信頼性が高い、天井の吊り構造を提供することを目的とする。【解決手段】上階床構造１に野縁受け５を吊り具８を用いて吊り下げ配置し、この野縁受け５に取り付けた天井野縁６の下面に天井ボード７を止着してなる天井の吊り構造であって、野縁受け５は、床梁３，４に吊り下げられ、吊り具８は、吊り下げたそれぞれの野縁受け５の下面が面一となるように、吊り下げ方向の長さ寸法を調整可能になされていることを特徴とする。【選択図】　図１
2004019124.tif 000002
【特許請求の範囲】
【請求項１】
床梁で支持した上階床構造に、互いに平行な複数の野縁受けを吊り具を用いて吊り下げ配置し、この野縁受けに直交して取り付けた天井野縁の下面に天井ボードを止着してなる天井の吊り構造であって、
野縁受けは床梁に吊り下げられ、吊り具は吊り下げ方向の長さ寸法を調整可能になされていることを特徴とする天井の吊り構造。
【請求項２】
前記吊り具は、床梁に止着される止着具と、野縁受けを吊り下げる吊り子と、止着具と吊り子との間に介在される調整ボルト・ナットとからなり、調整ボルトは垂直方向に向けた下端部を止着具に取り付けて立設され、この調整ボルトを吊り子の上端部に遊嵌して、吊り子が調整ボルトの適宜の高さ位置に螺入されたナットで止着されていることを特徴とする請求項１記載の天井の吊り構造。
【請求項３】
前記止着具は、対向する２つの締結片を備えた断面略コ字形になされ、前記床梁の止着部が、締結片の間に挿入され、一方の締結片に設けた締結ボルトで他方の締結片に圧接して挟持されていることを特徴とする請求項２記載の天井の吊り構造。
【請求項４】
前記床梁は、Ｈ形鋼で形成され、上下のフランジを水平にしフランジ間のウエブを垂直にして配置され、前記止着具は、Ｈ形鋼の下フランジに止着されていることを特徴とする請求項２または３記載の天井の吊り構造。
【発明の詳細な説明】
【０００１】
【発明の属する技術分野】
本発明は、天井の吊り構造に関する。
【０００２】
【従来の技術】
従来の天井の吊り構造として、実開平６−８７５２１号公報に記載されているものが知られている。
上記公報記載のものは、天井ボード止着用の天井下地構造であって、天井ボード止着用の第１部材（天井野縁）を、天井スラブに吊り下げ配置し、天井ボード止着用の第２部材（天井野縁）を、第１部材に弾性的に嵌合保持させ、第１及び第２部材の下面を面一にして、この下面に天井ボードの周辺部をビス止めし、天井ボードの周辺部全てを拘束させるようにしたものである。これによって、ボード継ぎ目部での塗装面の亀裂発生を防止し、継ぎ目に対するパテ処理等の目地処理を省略又は軽減できるようにした。
【０００３】
また、特開２０００−３１０００１号公報に記載のものは、梁などにハンガーを介して野縁受けを吊るし、この野縁受けに取付金物で野縁を保持させ、天井板材の四隅に装着した天井パネルの掛け金をこの野縁に係合させて、天井パネルを吊り下げるようにしたものである。
【０００４】
【発明が解決しようとする課題】
しかしながら、上記実開平６−８７５２１号公報記載のものにおいて、天井スラブの裏面側に吊りボルトを螺着するインサート金具が予め埋設されている場合は、天井施工時に吊りボルトに取り付けた吊り子が所望の位置からずれたりして使用できないという問題が生じる。
また、天井スラブがＡＬＣ床版の場合、床施工時に予めハンガーを挿入しておくので、天井施工時にこのハンガーに取り付けた吊り子も所望の位置からずれたりすることがある。
あるいはまた、天井スラブの裏面側にアンカーボルトを打ち込んで吊り具を取り付けるようにすると、アンカー打ち込みの工程の労力と時間がかかったり、アンカーの打ち込み品質によっては保持力が発揮されず、吊り具の品質欠陥を生じる恐れがある。
【０００５】
特開２０００−３１０００１号公報に記載のものにおいては、天井板材の四隅に特殊な掛け金を装着した天井パネルであるから、このような掛け金のない通常の天井ボードは使用できない。
また、梁などにハンガーを介して野縁受けを吊るしているが、このハンガーには吊り下げ長さの調節手段がないので、野縁受けの取付調整に手間がかかるという問題がある。
【０００６】
そこで、本発明は、上記の問題点を解消し、吊り具の位置決めが任意に行え、施工が容易であり、吊り具固定の信頼性が高い、天井の吊り構造を提供することを目的とする。
【０００７】
【課題を解決するための手段】
請求項１記載の発明は、床梁で支持した上階床構造に、互いに平行な複数の野縁受けを吊り具を用いて吊り下げ配置し、この野縁受けに直交して取り付けた天井野縁の下面に天井ボードを止着してなる天井の吊り構造であって、
野縁受けは床梁に吊り下げられ、吊り具は吊り下げ方向の長さ寸法を調整可能になされていることを特徴とする。
【０００８】
請求項２記載の発明は、請求項１記載の天井の吊り構造において、前記吊り具は、床梁に止着される止着具と、野縁受けを吊り下げる吊り子と、止着具と吊り子との間に介在される調整ボルト・ナットとからなり、調整ボルトは垂直方向に向けた下端部を止着具に取り付けて立設され、この調整ボルトを吊り子の上端部に遊嵌して、吊り子が調整ボルトの適宜の高さ位置に螺入されたナットで止着されていることを特徴とする。
【０００９】
請求項３記載の発明は、請求項２記載の天井の吊り構造において、前記止着具は、対向する２つの締結片を備えた断面略コ字形になされ、前記床梁の止着部が、締結片の間に挿入され、一方の締結片に設けた締結ボルトで他方の締結片に圧接して挟持されていることを特徴とする。
【００１０】
請求項４記載の発明は、請求項２または３記載の天井の吊り構造において、前記床梁は、Ｈ形鋼で形成され、上下のフランジを水平にしフランジ間のウエブを垂直にして配置され、前記止着具は、Ｈ形鋼の下フランジに止着されていることを特徴とする。
【００１１】
（作用）
このように構成された請求項１記載の天井の吊り構造によると、野縁受けは、吊り具を用いて床梁に吊り下げられているので、天井施工と同時に吊り具の位置決めを任意に行うことができ、床スラブに吊り下げる従来技術のように吊り具の無駄がない。
吊り具は、吊り下げ方向の長さ寸法を調整可能になされているので、吊り下げたそれぞれの野縁受けの下面が面一となるようにできる。従って、吊り具の取付調整等の施工が容易であり、天井野縁に天井ボードを波打ちなく止着でき、仕上がりもよい。
【００１２】
請求項２記載の天井の吊り構造によると、さらに、前記吊り具は、床梁に止着される止着具と、野縁受けを吊り下げる吊り子と、止着具と吊り子との間に介在される調整ボルト・ナットとからなる。
調整ボルトは、垂直方向に向けた下端部を止着具に取り付けて立設され、この調整ボルトを吊り子の上端部に遊嵌して、吊り子が調整ボルトの適宜の高さ位置に螺入されたナットで止着されているので、吊り具を床スラブと天井ボード間の天井空間にコンパクトに収めることができる。このため、調整ボルト付きの吊り具を床梁に吊り下げても、床梁に近接させて天井ボードを止着でき、居室空間を広くできる。
【００１３】
請求項３記載の天井の吊り構造によると、さらに、前記止着具は、対向する２つの締結片を備えた断面略コ字形になされ、前記床梁の止着部が、締結片の間に挿入され、一方の締結片に設けた締結ボルトで他方の締結片に圧接して挟持されているので、吊り具に設けた止着具が床梁の止着部を強く挟んで固定する。このため、固定の信頼性が高くなる。
【００１４】
請求項４記載の天井の吊り構造によると、さらに、前記止着具は、床梁を形成するＨ形鋼の水平な下フランジに止着されているので、固定の信頼性が一層高く、取付も容易である。
【００１５】
【発明の実施の形態】
以下、本発明の実施の形態について図面を参照しながら詳細に説明する。
図１〜図３は本発明の一実施の形態であって、図１（イ）は天井の吊り構造を示す斜視図であり、（ロ）は断面図である。図２は建物の上階床構造を示す断面図であり、図３（イ）は吊り具を分解して示す断面図であり、（ロ）は止着具の斜視図である。
【００１６】
図１と図２において、１は建物の上階床構造であって、本実施の形態は、この上階床構造１に天井を吊り下げた天井の吊り構造である。
【００１７】
上階床構造１は、図２に示すように、床スラブ２と、床スラブ２を下方から支持する床大梁３と床小梁４と、床スラブ２の上に支持脚２１で支持して設けられたパーティクルボード２２と、このパーティクルボード２２の上に張設されたフローリング２３と、から構成されている。
床スラブ２は、ＡＬＣ（オートクレーブ養生軽量コンクリート版）で形成されている。
床大梁３の屋外側には、外壁面材１５が通気層１６を形成して設けられ、壁内と床大梁３の屋外側に断熱材１７，１８を設けている。
【００１８】
床大梁３は、図１（ロ）に示すように、ウエブ３１の上端と下端に上下のフランジ３２，３３を略Ｈ形に接合したＨ形鋼で形成されている。上、下のフランジ３２，３３間の高さとフランジ３２（またはフランジ３３）の幅は、３００ｍｍ×１５０ｍｍになされている。
床小梁４は、同じく２５０ｍｍ×１２５ｍｍのＨ形鋼で形成され、適宜の間隔（例えば、１８００ｍｍ）で床大梁３と平行に設けられている。
床大梁３は、上下のフランジ３２，３３を水平にし、ウエブ３１を垂直にして配置されている。床小梁４も同様である。
【００１９】
本実施の形態の天井の吊り構造は、図１に示すように、上階床構造１に、互いに平行な複数の野縁受け５，５を、吊り具８を用いて吊り下げ配置し、この野縁受け５，５に天井野縁６，６を野縁受け５と直交する方向に向けて取り付け、天井野縁６，６の下面に天井ボード７を止着したものである。
【００２０】
野縁受け５は、断面コ字形の軽量形鋼で形成され、天井野縁６は、断面四角筒の軽量形鋼で形成されている。野縁受け５と天井野縁６は、ボルトまたは適宜の接合金具（不図示）を使用して接合される。
天井ボード７は、石膏ボードで形成され、天井野縁６，６の下面にタッピングビス等で止着される。
【００２１】
野縁受け５は、吊り具８を用いて床大梁３と床小梁４に吊り下げられているが、吊り具８は、吊り下げたそれぞれの野縁受け５，５の下面が同一の水平な平面上に面一となるように、吊り下げ方向の長さ寸法を調整可能になされている。
【００２２】
上記吊り具８は、図３に示すように、床大梁３の下フランジ３３（床小梁４も同様）に止着される止着具９と、野縁受け５を吊り下げる吊り子１０と、止着具９と吊り子１０との間に介在される調整ボルト１１・ナット１２とからなる。
なお、床小梁４の吊り子１０は、図１（ロ）に示すように、長さ寸法が床大梁３のものより大になされている以外、同じであり、止着具９と調整ボルト１１・ナット１２は、共通している。
【００２３】
上記止着具９は、対向する２つの締結片９１，９２と、締結片９１，９２の一側間を連結する側板９４とからなる断面略コ字形の万力状になされている。
一方の締結片９１（下方側）には、内側に向けて締結ボルト９３の先端部が突出するように設けられている。他方の締結片９２の内側面には歯形が刻まれ、側板９４には、ブラケット９５が設けられている。
【００２４】
上記止着具９は、前記床大梁３の止着部である下フランジ３３（床小梁４の場合も同様）に止着される。この際、床大梁３の下フランジ３３を締結片９１，９２の間に挿入し、一方の締結片９１に設けた締結ボルト９３で他方の締結片９２に圧接して挟持するようにする。
床小梁４についても、上記と同様にして止着具９が止着される。
【００２５】
吊り子１０は、図３に示すように、垂直板１０１と、垂直板１０１の上端を折り曲げた水平な取付片１０２と、垂直板１０１の下端を略Ｕ字形に折り曲げた挟み板１０４とからなる。
取付片１０２には通孔１０２が形成されている。
挟み板１０４は、弾性力で野縁受け５を挟み付けるように、くの字に折り曲げられている。
【００２６】
調整ボルト１１は、垂直方向に向けた下端部を止着具９の側板９４に設けたブラケット９５に取り付けて立設される。
調整ボルト１１には、予め１つのナット１２が取り付けられ、その後、この調整ボルト１１を吊り子１０上端部の取付片１０２に形成した通孔１０３に遊嵌し、さらに調整ボルト１１に別のナット１２が取り付けられる。
このようにして、調整ボルト１１に取り付けられた２つのナット１２，１２の間に吊り子１０の取付片１０２を挟むようにして締めつけると、吊り子１０が調整ボルト１１の適宜の高さ位置に２つのナット１２，１２で止着される。
【００２７】
（天井の施工方法）
前記吊り構造になされた天井の施工方法について説明する。
（１）　床大梁３の下フランジ３３の長手方向に沿って、適宜の間隔で複数個の止着具９，９を止着する。
（２）　各止着具９に調整ボルト１１を立設し、調整ボルト１１の適宜の高さ位置に吊り子１０を２つのナット１１，１１間に挟んで仮止めする。
（３）　吊り子１０の挟み板１０４を押し広げるようにして野縁受け５を挿入して吊るし、吊るした野縁受け５が水平になるように各吊り子１０の高さ位置を調整する。
（４）　上記（１）　〜（３）　の手順と同様にして、床小梁４に野縁受け５を吊るす。
（５）　床小梁４に吊るした野縁受け５の下面が、床大梁３に吊るした野縁受け５の下面と同一の水平面で面一となるように、床小梁４の吊り子１０の高さ位置を微調整する。
（６）　上記のようにして吊るした野縁受け５，５と直交する方向に天井野縁６，６を取り付ける。
（７）　この天井野縁６，６の下面に天井ボード７を止着する。
【００２８】
（実施の形態の作用）
このように構成された本実施の形態の天井の吊り構造によると、野縁受け５は、吊り具８を用いて床大梁３と床小梁４に吊り下げられているので、天井施工と同時に吊り具８の位置決めを任意に行うことができ、床スラブ２に吊り下げる従来技術のような吊り具の無駄がない。
吊り具８は、吊り下げたそれぞれの野縁受け５の下面が面一となるように、吊り下げ方向の長さ寸法を調整可能になされているので、吊り具８の取付調整等の施工が容易であり、天井野縁６に天井ボード７を波打ちなく止着でき、仕上がりもよい。
【００２９】
さらに、前記吊り具８は、床大梁３（または床小梁４）に止着される止着具９と、野縁受け５を吊り下げる吊り子１０と、止着具９と吊り子１０との間に介在される調整ボルト１１・ナット１２とからなる。
調整ボルト１１は、垂直方向に向けた下端部を止着具９に取り付けて立設され、この調整ボルト１１を吊り子１０の上端部に遊嵌して、吊り子１０が調整ボルト１１の適宜の高さ位置に螺入されたナット１２で止着されているので、吊り具８を床スラブ２と天井ボード７間の天井空間にコンパクトに収めることができる。このため、調整ボルト１１付きの吊り具８を床大梁３（または床小梁４）に吊り下げても、床大梁３に近接させて天井ボード７を止着でき、居室空間を広くできる。
【００３０】
さらに、前記止着具９は、対向する２つの締結片９１，９２を備えた断面略コ字形の万力状になされ、前記床大梁３（または床小梁４）の下フランジ３３（止着部）が、締結片９１，９２の間に挿入され、一方の締結片９１に設けた締結ボルト９３で他方の締結片９２に圧接して挟持されているので、吊り具８に設けた止着具９が床大梁３の下フランジ３３を強く挟んで固定する。このため、固定の信頼性が高くなる。
【００３１】
さらに、前記止着具９は、床大梁３を形成するＨ形鋼の水平な下フランジ３３に止着されているので、固定の信頼性が一層高く、取付も容易である。
【００３２】
以上、本発明の実施の形態を図面に基づいて説明したが、本発明は、この実施の形態に限られるものではなく、本発明の要旨を変更しない範囲の設計変更があっても本発明に含まれる。
【００３３】
【発明の効果】
このように構成された請求項１記載の天井の吊り構造によると、天井施工と同時に吊り具の位置決めを任意に行うことができ、床スラブに吊り下げる従来技術のように吊り具の無駄がない。
また、吊り具の取付調整等の施工が容易であり、天井野縁に天井ボードを波打ちなく止着でき、仕上がりもよい。
【００３４】
請求項２記載の天井の吊り構造によると、さらに、吊り具を床スラブと天井ボード間の天井空間にコンパクトに収めることができるため、調整ボルト付きの吊り具を床梁に吊り下げても、床梁に近接させて天井ボードを止着でき、居室空間を広くできる。
【００３５】
請求項３記載の天井の吊り構造によると、さらに、止着具が床梁の止着部を強く挟んで固定するため、吊り具の固定の信頼性が高くなる。
【００３６】
請求項４記載の天井の吊り構造によると、さらに、前記止着具は、床梁を形成するＨ形鋼の水平な下フランジに止着されているので、吊り具の固定の信頼性が一層高く、取付も容易である。
【図面の簡単な説明】
【図１】本発明の一実施の形態であって、（イ）は天井の吊り構造を示す斜視図であり、（ロ）は断面図である。
【図２】建物の上階床構造を示す断面図である。
【図３】（イ）は吊り具を分解して示す断面図であり、（ロ）は止着具の斜視図である。
【符号の説明】
１　　　　　上階床構造
２　　　　　床スラブ
３　　　　　床大梁
３１　　　　ウエブ
３２，３３　フランジ
４　　　　　床小梁
５　　　　　野縁受け
６　　　　　天井野縁
７　　　　　天井ボード
８　　　　　吊り具
９　　　　　止着具
９１，９２　締結片
９３　　　　締結ボルト
１０　　　　吊り子
１１　　　　調整ボルト
１２　　　　ナット
【図１】
2004019124.tif 000003
【図２】
2004019124.tif 000004
【図３】
2004019124.tif 000005